(57)【要約】【課題】天板の下方に空間部を備えながらも剛性を備え、しかもキャビネットを設置する工事現場で、天板の間口調整の作業を簡単に行うことができ工事性を向上させる構成のキャビネットを実現する。【解決手段】キャビネット１は、水槽２を備えた天板３と、天板３の両端部に取付けられた側板４と、天板３の下方に設けられた収納部５と、収納部５の側方に設けられた空間部６と、天板３の下面に沿って天板３の間口方向に伸びる補強桟７と、を備え、補強桟７の一方端が一方の側板４に近接した位置に配置され、他方端が収納部５に挿入された状態で配置されており、補強桟７の間口方向の寸法が、調整可能な間口寸法範囲のうち最小寸法となったときの天板３の間口方向の寸法と略同じとなる長さに設定される。【選択図】図２
2014012091.tif 000002
【特許請求の範囲】
【請求項１】
水槽を備え、間口寸法が調整可能な天板と、天板の両端部に取付けられた側板と、天板の下方に設けられた収納部と、収納部の側方に設けられた空間部と、天板の下面に沿って天板の間口方向に伸びる補強桟と、を備え、補強桟の一方端が一方の側板に近接した位置に配置され、他方端が収納部に挿入された状態で配置されていることを特徴とするキャビネット。
【請求項２】
請求項１に記載のキャビネットであって、補強桟の間口方向の寸法が、天板の間口方向の最小寸法と略同じとなる長さに設定されていることを特徴とするキャビネット。
【請求項３】
請求項１または２に記載のキャビネットであって、天板の間口寸法を広げる場合には、補強桟の一方端の位置を基準として固定し、補強桟の他方端の収納部への挿入寸法が小さくなる方向に調整されることを特徴とするキャビネット。
【請求項４】
請求項１から３のいずれかに記載のキャビネットであって、天板と側板とを固定するための、別体の固定部材を備えていることを特徴とするキャビネット。
【発明の詳細な説明】
【技術分野】
【０００１】
本発明は、キャビネットに関し、特に、天板の下方に空間部を備えた洗面化粧台として使用されるキャビネットに関する。
【背景技術】
【０００２】
洗面化粧台に使用されるキャビネットは、水槽を備えた天板と、天板の両端部に取付けられた側板と、天板の下方に設けられた収納部とを備えている。近年は、洗面化粧台で化粧や肌ケア等を行うユーザーが増えている。
【０００３】
限られたスペースである洗面室を有効に活用するため収納部を一方側に寄せて配置し、収納部の側方に使用者が椅子に座った状態で脚を入れることが可能な空間部を設けた洗面化粧台に対するニーズがある。
【０００４】
このような洗面化粧台においては、空間部を設けるために、カウンターの間口寸法が大きくなるので、天板のたわみが生じ易く、カウンターの剛性確保が課題となる。そのような課題の解決手段として、天板に補強桟を取付けて剛性を高める技術は、公知である（特許文献１参照）。
【０００５】
ところで、洗面室の大きさに合せて天板の長さを調整 (間口調整)できる洗面化粧台に対するニーズもある。そのような課題の解決手段として、カウンターの間口調整を行う技術は公知である（特許文献２参照）。
【先行技術文献】
【特許文献】
【０００６】
【特許文献１】特開平６−２７７１５６号公報
【特許文献２】特開平８−５６８６２号公報
【発明の概要】
【発明が解決しようとする課題】
【０００７】
上記従来のニーズを考慮すると、天板の下方に空間部を備えているにもかかわらず、剛性を備えているキャビネットについて簡単に間口調整できることが望ましい。しかしながら、天板に補強桟を取付けて剛性を高める技術と、カウンターの間口調整を行う技術は、キャビネットの工事のために相反するという問題が生じる。
【０００８】
即ち、剛性を高める補強桟は、鋼材等から形成される。カウンターの間口調整を行うためには、キャビネットを設置する工事現場で、天板を切断して間口幅を所望の長さに調整する。その際、天板に沿って間口方向に取付けられた補強桟は、金鋸等の工具を使用して切断しなくてはならず、その作業は、木材等で形成された天板を切断する作業に比べて、かなり手間がかかる上、作業工具を別途準備する必要がある。
【０００９】
本発明は、上記従来の問題を解決することを目的とするものであり、天板の下方に空間部を備えながらも剛性を備え、しかもキャビネットを設置する工事現場で、天板の間口調整の作業を簡単に行うことができ工事性を向上させる構成のキャビネットを実現することを課題とする。
【課題を解決するための手段】
【００１０】
本発明は上記課題を解決するために、水槽を備え、間口寸法が調整可能な天板と、天板の両端部に取付けられた側板と、天板の下方に設けられた収納部と、収納部の側方に設けられた空間部と、天板の下面に沿って天板の間口方向に伸びる補強桟と、を備え、補強桟の一方端が一方の側板に近接した位置に配置され、他方端が収納部に挿入された状態で配置されていることを特徴とするキャビネットを提供する。
【００１１】
キャビネットは、補強桟の間口方向の寸法が、天板の間口方向の最小寸法と略同じとなる長さに設定されていることが好ましい。
【００１２】
天板の間口寸法を広げる場合には、補強桟の一方端の位置を基準として固定し、補強桟の他方端の収納部への挿入寸法が小さくなる方向に調整されることが好ましい。
【００１３】
天板と側板とを固定するための、別体の固定部材を備えている構成としてもよい。
【発明の効果】
【００１４】
本発明によれば、天板の下方に空間部を備えながらも剛性を備え、しかもキャビネットを設置する工事現場で、天板の間口調整の作業を簡単に行うことができ工事性を向上させることが可能となる。
【図面の簡単な説明】
【００１５】
【図１】本発明に係るキャビネットの実施例１を説明する図であり、（ａ）はキャビネットの全体構成を示す斜視図であり、（ｂ）はキャビネットを下方から見た斜視図である。
【図２】上記実施例１の要部を説明する図であり、（ａ）は補強桟の取付け状態を示す斜視図であり、（ｂ）は（ａ）の要部拡大図であり、（ｃ）は補強桟を収納部において覆い隠す前桟を取付けた状態を示す斜視図である。
【図３】（ａ）は上記実施例１の天板の前側及び水槽の垂直方向の断面図であり、（ｂ）は天板の間口寸法の調整と、補強桟の長さとの関係を説明する図である。
【図４】（ａ）、（ｂ）は、上記実施例１の天板の間口寸法の調整と、補強桟の取付け位置を説明する図であり、天板直下を水平に切断し下方から見た水平切断図である。
【図５】本発明に係るキャビネットの実施例２を説明する図であり、（ａ）は天板、固定部材及び側板を示す斜視図であり、（ｂ）は天板の下面に固定部材を接着した状態を示す斜視図であり、（ｃ）は天板に固定部材を介して側板を固定する作業を説明する斜視図である。
【発明を実施するための形態】
【００１６】
本発明に係るキャビネットを実施するための形態を実施例に基づき図面を参照して、以下説明する。なお、本明細書における「左右」は、キャビネットを使用する際に正面側から見た「左右」であり、「前」及び「後」は同様に正面側から見て「手前側」及び「奥側」である。
【実施例】
【００１７】
（実施例１）                               
本発明に係るキャビネットの実施例の全体構成を図１（ａ）、（ｂ）に示す。この実施例のキャビネット１は、水槽２を備えた天板３と、天板３の両端部に取付けられた左右の側板４と、天板３の下方に設けられた収納部５と、収納部５の側方に設けられた空間部６と、を備えている。天板３のたわみを抑制するための補強桟７が天板３の前縁側の下面に沿って設けられている。
【００１８】
キャビネット１を設置する洗面所等の設置場所に合わせて、その間口寸法が、設置する工事現場で調整される。このようなキャビネット１の間口調整のために、キャビネット１の所望の間口方向の寸法に合わせて、天板３は、その間口寸法が所望の長さとなるように切断される。
【００１９】
図３（ｂ）に、キャビネット１の調整可能な間口寸法範囲(例えば、１２００〜１８００ｍｍ）のうち、最大の間口寸法に対応した天板３の最大の間口寸法Wmax（例えば、１８００ｍｍ）と、キャビネット１の調整可能な最小の間口寸法に対応した天板３の最小の間口寸法Wmin（例えば、１２００ｍｍ）を示す。なお、図３（ｂ）では、最小の間口寸法に対応した天板３の左端を２点鎖線で示す。
【００２０】
天板３は、最大の間口寸法Wmaxと最小の間口寸法Wminとの間の領域Ｓにおいて、キャビネット１の間口寸法の調整に対応して、設置の工事現場等で、適宜、前後方向に切断される。
【００２１】
収納部５は、図１（ａ）、図２（ａ）に示すように、頂面が天板３の下面に固定された左右の側壁１１と、左右の側壁１１の下端間に固定された底壁１２を備えている。収納部５は、実際は、扉で開閉される構成又は引出しで開閉される構成であるが、図１に示す収納部５は、扉又は引出しを外した状態を示している。
【００２２】
図２（ａ）〜（ｃ）に示すように、収納部５の左側の側壁１１の頂面と前面の角部には、矩形に切り欠き１３が形成されている。後記するが、この切り欠き１３には、補強桟７が空間部６側から挿通されて収納部５内に挿入されるようにして設けられている。
【００２３】
収納部５の底壁１２の下方には、図１（ａ）に示すように、配管カバー１４が、床面１５上に置かれて設けられており、キャビネット１を正面側から見ても、給水パイプや排水パイプ等の配管類が見えないように、隠すことができる。配管カバー１４は、収納部５に対して、図１（ｂ）に示すような位置関係で床面１５上に置かれるが、収納部５に必ずしも取付ける必要もない。
【００２４】
空間部６は、左側の側板４と収納部５の左側壁１１の間に形成され、使用者がキャビネット１の前に座った際に、足を入れることができる。空間部６には、図１（ａ）、（ｂ）に示すように、左側の側板４と収納部５の左側壁１１の間に、適宜、棚板１６が架け渡されて取付けられる構成としてもよい。
【００２５】
補強桟７は、鋼材等で形成されており、図１（ｂ）、図２（ａ）、（ｂ）に示すように、天板３の前縁側の下面１７に沿って、空間部６及び収納部５に対応するように配置され、天板３の下面１７にネジ止めされて取付けられている。
【００２６】
この構成をさらに詳しく図３（ａ）で説明する。図３（ａ）は、天板の前縁側の断面図であるが、天板３の前縁側には、天板３の下面から下方に垂れる前垂れ１８が天板３の長手方向に沿って形成されており（図１（ａ）、（ｂ）参照）、補強桟７は、この前垂れ１８の後側に隣接して天板３の下面１７に取付けられている。
【００２７】
補強桟７は、主に空間部６に対応して配置されているが、空間部６から収納部５内に伸びるように配置される部分は、図２（ａ）、（ｂ）に示すように、左側の側壁１１に形成された切り欠き１３を挿通して挿入されている。
【００２８】
補強桟７の一方端が空間部６に対応する左側（一方）の側板４に近接した位置に配置され、他方端が収納部５に挿入されているので、間口調整が容易になるとともに、少なくとも空間部６には必ず補強桟７が設置され、他方端が収納部５によって保持される状態を維持できるので、キャビネット１の剛性を高めることができる。
【００２９】
補強桟７の間口方向の寸法Ｌは、キャビネット１の調整可能な間口寸法範囲 (例えば、１２００〜１８００ｍｍ）のうち最小寸法になったときの、図３（ｂ）に示すような、天板３の最小の間口寸法Ｗmin (例えば、１２００ｍｍ）と、略同じとなる長さに形成されている。
【００３０】
より正確に説明すると、補強桟７の間口方向の寸法Ｌは、天板３の間口寸法が調整可能な最小の間口寸法Ｗmin になるように天板３が図４（ａ）に示す切断位置Ｃminで切断され、図４（ａ）において２点鎖線で示すように、天板３の下面に左側の側板４が固定された場合において、補強桟７が収納部５と空間部６内に収まる長さであって、間口寸法Ｗminにきわめて近い長さである。
【００３１】
補強桟７の間口方向の寸法Ｌをこのような長さにすることによって、キャビネット１の間口方向の寸法を最小寸法に調整するために、天板３の間口寸法を最小寸法Ｗminにした際に、補強桟７は、その間口方向の寸法が、天板３の間口寸法（より正確には、天板３の最小寸法Ｗminより、左右の側板４の厚さを差し引いた寸法）より大きくなるようなことがなく、収納部５と空間部６内に収まり、従って、補強桟７を切断する必要がない。
【００３２】
ところで、キャビネット１の間口寸法を調整可能な最小寸法以上の寸法とするために、図４（ｂ）に示すように、天板１の間口寸法が最小寸法Wmin以上の寸法Wmidの長さになるように天板３が切断位置Ｃmidで切断され、図４（ｂ）において２点鎖線で示すように、天板３の下面に左側の側板４が固定された場合は、補強桟７は、その一方端（図４（ｂ）の左端）が一方（図４（ｂ）の左側）の側板４に近接し、補強桟７の他方端が収納部５への挿入寸法がより小さくなる方向に調整されて配置され、天板３の下面に固定される。
【００３３】
要するに、補強桟７は、間口方向において、空間部６の間口領域に最大限に対応するように配置され、空間部６を超える部分は、前記のとおり、左側の側壁１１の切り欠き１３を挿通して収納部５へ挿入されて配置される。これによって、天板３のうち、主に空間部６に対応する領域で生じ易いたわみを抑制するように、剛性が付与されることとなる。
【００３４】
（作用）
以上の構成から成るキャビネット１の作用を、その工事現場での組立作業の説明とともに、以下説明する。天板３は、設置工事に際してはすでに、図１（ａ）に示すように、正面視で右側における、上面に水槽２を備え、下面に収納部５を備えている。
【００３５】
設置工事現場では、設置する洗面所等の建物内の間取り寸法等の状況に応じて、キャビネット１の間口方向の寸法の調整をする必要がある。その場合は、キャビネット１の調整すべき間口方向の寸法に合わせて、天板３は、収納部５の取付けられている側とは反対側の部分において、例えば図４（ｂ）に示すように、切断位置Ｃmidで、前後方向に切断し、天板３が所定の間口寸法（図４（ｂ）の場合はＷmid）となるように調整する。
【００３６】
そして、天板３の左右端に左右の側板４をダボで固定する。さらに、補強桟７を、天板３の前垂れ１８の後側に沿って、左端が図４（ｂ）に示すように、左側の側板４に近接するように左側に寄せて、天板３の下面にネジ止めして固定する。この状態では、補強桟７の右側は、切り欠き１３に挿通されて（図２（ａ）、（ｂ）参照）、収納部５に挿入された状態で（図４（ｂ）参照）、天板３の下面に固定されている。
【００３７】
そして、図２（ｃ）、図３（ａ）に示すが、収納部５内に挿入された補強桟７を下方から覆い隠すように、前桟２２を収納部５の左右の側壁１１の間に架設する。前桟２２の左側の端部は、切り欠き１３の水平部２３（図２（ｂ）参照）に沿うように配置される。この前桟２２を設けることによって、収納部５の扉を開けて下方から覗き込んでも、鋼材で形成された補強桟７を前桟２２がカバーして隠すので、見栄えが良い。
【００３８】
（実施例２）
この実施例２は、実施例１とほぼ同じであるが、左右の側板４を天板３に固定する際の固定構造に特徴がある。実施例２は、その特徴的な構成について説明し、実施例１と同じ構成については同じ符号を使用する。
【００３９】
この実施例２のキャビネット１は、天板３の左右端の下面に天板３の左右の側板４を固定する固定構造において、天板３と側板４との間に、図５（ａ）、（ｃ）に示すように、天板３とは別体の固定部材である桟材２４を介在させて固定する。
【００４０】
桟材２４は、図５（ｃ）に示すように、天板３の前垂れ１８を除く前後方向の幅と略同じ長さに形成されている。また、側板４の上面と桟材２４の下面には、それぞれ互いに対応する位置に複数のダボ孔２５が形成されている。桟材２４の上面のダボ孔２５を図５（ｂ）に示す。側板４と桟材２４を固定する際には、図５（ａ）、（ｃ）に示すダボ２６を、側板４と桟材２４のダボ孔２３に挿入して固定する。
【００４１】
なお、側板４の上面又は桟材２４の下面の一方に複数のダボを予め植設して設けておき、他方には、前記複数のダボにそれぞれ対応した位置に複数のダボ孔が形成されている構成としてもよい。このような構成とすると、設置工事の現場では、側板４と桟材２４を固定する際には、側板４又は桟材２４の一方に植設されているダボを、他方に形成されたダボ孔に挿入して固定すればよい。
【００４２】
以上のような構成の桟材２４を利用して、側板４を天板３に取付ける場合は、図５（ｂ）に示すように、天板３を切断してその間口寸法を調整してから、桟材２４の一端面を、基準面である天板３の後端面２７に合わせて、接着剤で下面に接着する。その後、上記のとおり、ダボ２６を介して側板４と桟材２４を固定する。
【００４３】
以上のとおり、側板４と天板３は桟材２４を介し、しかもダボ２６を使用して側板４と桟材２４を固定して組み立てる構造であるから、固定金具等を使用する必要がなく、固定金具が表面に露出するようなことがないので、見栄えが良く、その組立も簡単なので、設置工事の現場では作業性が向上する。
【００４４】
以上、本発明に係るキャビネットを実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００４５】
本発明に係るキャビネットは上記のような構成であるから、洗面化粧台、キッチン等として使用される各種のキャビネットに適用可能である。
【符号の説明】
【００４６】
１  キャビネット
２  水槽
３  天板
４  側板
５  収納部
６  空間部
７  補強桟
１１  側壁
１２  底壁
１３  切り欠き
１４  配管カバー
１５  床面
１６  棚板
１７  天板の前縁側の下面
１８  前垂れ
２２  前桟
２３  切り欠きの水平部
２４  桟材
２５  ダボ孔
２６  ダボ
２７  天板の後端面
【図１】
2014012091.tif 000003
【図２】
2014012091.tif 000004
【図３】
2014012091.tif 000005
【図４】
2014012091.tif 000006
【図５】
2014012091.tif 000007